(57)【要約】【課題】意匠性の向上を図る。【解決手段】水槽Ａは、ボウル１０と、ボウル１０の内面に形成されたオーバーフロー口２０と、ボウル１０内へ水を吐出する吐水配管１７と、オーバーフロー口２０の少なくとも一部を覆うように配され、ボウル１０の溜水空間３０の一部をオーバーフロー口２０が開口する遮蔽空間２８として区画するカバー２５と、遮蔽空間２８の下端部において遮蔽空間２８の内部と外部とを連通させる連通口２９と、カバー２５と一体をなす形態、又はカバー２５と一体的に繋がるように配された形態であり、吐水配管１７を包囲する配管カバー２２とを備えている。【選択図】図２
2019178503.tif 000002
【特許請求の範囲】
【請求項１】
ボウルと、
前記ボウルの内面に形成されたオーバーフロー口と、
前記ボウル内へ水を吐出する吐水配管と、
前記オーバーフロー口の少なくとも一部を覆うように配され、前記ボウルの溜水空間の一部を前記オーバーフロー口が開口する遮蔽空間として区画するカバーと、
前記遮蔽空間の下端部において前記遮蔽空間の内部と外部とを連通させる連通口と、
前記カバーと一体をなす形態、又は前記カバーと一体的に繋がるように配された形態であり、前記吐水配管を包囲する配管カバーとを備えていることを特徴とする水槽。
【請求項２】
前記カバーは、前記ボウルの内面と対向する第１板部と、前記第１板部の鉛直方向の側縁から前記ボウルの内面側へ延出した一対の第２板部とを備えて構成され、
前記遮蔽空間が、前記ボウルの内面と前記第１板部と前記一対の第２板部とによって構成されていることを特徴とする請求項１記載の水槽。
【請求項３】
前記ボウルの内面のうち前記オーバーフロー口が開口する領域には、平面視において凹んだ形状の凹部が形成され、
前記カバーは、平板状をなしていて前記凹部の開口部を閉塞していることを特徴とする請求項１記載の水槽。
【請求項４】
前記ボウルの底面には、前記ボウル内の水を排出させる排水口が形成されており、
前記カバーの下端部が前記排水口を覆い隠す形態であることを特徴とする請求項１ないし請求項３のいずれか１項に記載の水槽。
【発明の詳細な説明】
【技術分野】
【０００１】
本発明は、水槽に関する。
【背景技術】
【０００２】
特許文献１には、底面の周縁から立壁を立ち上げた形態の洗面ボウルが開示されている。立壁には、洗面ボウルの上面開口から水が溢れ出るのを防止するためのオーバーフロー口が開口し、オーバーフロー口にはオーバーフロー管の上端部が接続されている。洗面ボウルに水を溜めていったときに、洗面ボウルの水位がオーバーフロー口に達するまで上昇すると、洗面ボウル内の水が、オーバーフロー口からオーバーフロー管を通して排出される。
【先行技術文献】
【特許文献】
【０００３】
【特許文献１】特開２０１２−１８７３６０号公報
【発明の概要】
【発明が解決しようとする課題】
【０００４】
上記の洗面化粧台は、オーバーフロー口が立壁において露出したままであるため、洗面ボウルを使用する際に、オーバーフロー口の内周面が目に入る。そのため、オーバーフロー口の内周面が水垢等で汚れていると、意匠性が低下することになる。
【０００５】
本発明は、上記従来の実情に鑑みてなされたものであって、意匠性の向上を図ることを解決すべき課題としている。
【課題を解決するための手段】
【０００６】
本発明は、
ボウルと、
前記ボウルの内面に形成されたオーバーフロー口と、
前記ボウル内へ水を吐出する吐水配管と、
前記オーバーフロー口の少なくとも一部を覆うように配され、前記ボウルの溜水空間の一部を前記オーバーフロー口が開口する遮蔽空間として区画するカバーと、
前記遮蔽空間の下端部において前記遮蔽空間の内部と外部とを連通させる連通口と、
前記カバーと一体をなす形態、又は前記カバーと一体的に繋がるように配された形態であり、前記吐水配管を包囲する配管カバーとを備えていることを特徴とする。
【発明の効果】
【０００７】
吐水配管からボウル内に水が吐出されると、ボウル内の水が連通口から遮蔽空間内に流入し、遮蔽空間の水位がボウルの溜水空間と同じ水位で上昇する。遮蔽空間の水位がオーバーフロー口に達すると、遮蔽空間内の水はオーバーフロー口からボウルの外部へ排出される。オーバーフロー口は、カバーで覆い隠されているので、目に入らないか、目に入り難い。したがって、オーバーフロー口の内周面が水垢等で汚れていても、意匠性が低下することはない。
【０００８】
また、カバーと配管カバーは、一体をなす形態、又は一体的に繋がったように配された形態なので、カバーと配管カバーが一体部品であってもデザインが解離している場合や、カバーと配管カバーが別体であって離間した位置関係で配置される場合等に比べると、意匠性に優れている。
【図面の簡単な説明】
【０００９】
【図１】実施例１の水槽の斜視図
【図２】水槽の側断面図
【図３】カバーと配管カバーを外した状態をあらわす斜視図
【図４】実施例２の水槽の斜視図
【図５】水槽の側断面図
【図６】カバーと配管カバーを外した状態をあらわす斜視図
【発明を実施するための形態】
【００１０】
本発明は、前記カバーは、前記ボウルの内面と対向する第１板部と、前記第１板部の鉛直方向の側縁から前記ボウルの内面側へ延出した一対の第２板部とを備えて構成され、前記遮蔽空間が、前記ボウルの内面と前記第１板部と前記一対の第２板部とによって構成されていてもよい。この構成によれば、カバーを筒状にする場合に比べると、材料コストを低減することができる。
【００１１】
本発明は、前記ボウルの内面のうち前記オーバーフロー口が開口する領域には、平面視において凹んだ形状の凹部が形成され、前記カバーは、平板状をなしていて前記凹部の開口部を閉塞していてもよい。この構成によれば、カバーを筒状にする場合に比べると、材料コストを低減することができる。
【００１２】
本発明は、前記ボウルの底面には、前記ボウル内の水を排水させる排水口が形成されており、前記カバーの下端部が前記排水口を覆い隠す形態であってもよい。この構成によれば、排水口が水垢等で汚れていても、目に入らないか、目に入り難いので、意匠性が低下することはない。
【００１３】
＜実施例１＞
以下、本発明を具体化した実施例１を図１〜図３を参照して説明する。尚、以下の説明において、前後の方向については、図２における左方を前方と定義する。上下の方向については、図１〜３にあらわれる向きを、そのまま上方、下方と定義する。
【００１４】
本実施例１の水槽Ａは、洗面化粧台Ｗを構成するものである。水槽Ａは、上面が開放されたボウル１０と、カバー部材２１とを有している。ボウル１０は、平面視形状が方形をなす底面１１と、底面１１の前端縁（周縁）から鉛直方向上方へ立ち上がる前面壁１２と、底面１１の左右両側縁から鉛直方向上方へ立ち上がる左右一対の側面壁１３と、底面１１の後端縁から鉛直方向上方へ立ち上がる後面壁１４（請求項に記載のボウルの内面）とを有する。底面１１には、排水口１５が形成されている。排水口１５には、排水管１６の上端部が接続されている。
【００１５】
前面壁１２の上端と左右両側面壁１３の上端は同じ高さであるが、後面壁１４は、前面壁１２の上端及び左右両側面壁１３の上端より高い位置まで立ち上がっている。後面壁１４の上端部には吐水配管１７が取り付けられている。吐水配管１７は、後面壁１４を前後方向に貫通した形態であり、後面壁１４の左右方向略中央部に配されている。吐水配管１７の前端部には、水槽Ａ（ボウル１０）の上方からボウル１０内に水を吐出する吐水口１８が設けられている。吐水配管１７のうち後面壁１４（水槽Ａ）の後方領域には、吐水口１８からの水の吐出動作を操作するための開閉弁１９が設けられている。
【００１６】
後面壁１４には、オーバーフロー口２０が形成されている。オーバーフロー口２０は、後面壁１４の左右方向中央部に配され、後面壁１４のうちボウル１０の上面より少し低い高さに開口している。換言すると、オーバーフロー口２０は吐水配管１７の真下に位置している。オーバーフロー口２０には、後面壁１４の後方に配索されたオーバーフロー管２１の上端部が接続されている。オーバーフロー管２１の下端部は、排水管１６に接続されている。
【００１７】
カバー部材２１は、合成樹脂製の配管カバー２２と、同じく合成樹脂製のカバー２５とを組み付けて構成されている。配管カバー２２とカバー２５は別体の部品である。配管カバー２２とカバー２５は、後面壁１４の前面に取り付けられている。配管カバー２２とカバー２５を後面壁１４に取り付けた状態では、配管カバー２２とカバー２５は、一体部品に見えるように上下に隣接して配置される。
【００１８】
配管カバー２２は、筒部２３と接続部２４とを有する単一部材である。筒部２３は、全体として偏平で且つ前後方向に細長く延びた形状をなす。筒部２３は、吐水配管１７のうち後面壁１４から前方へ突出した部分の全体を包囲している。吐水口１８は、筒部２３の前端部の下面に開口している。接続部２４は、筒部２３の後端部から下方へ延出した形態である。後面壁１４に取り付けた配管カバー２２は、後面壁１４の前面から前方へ片持ち状に延出した形態となる。接続部２４の前面は、側面視形状が概ね四半円弧形をなし、筒部２３の下面に対し接線状に滑らかに接続している。筒部２３の左右両外側面と接続部２４の左右両外側面は面一状に連なっている。筒部２３の上面と接続部２４の後面は直角をなして連なっている。
【００１９】
カバー２５は、板厚方向を前後方向に向けた平板状をなす第１板部２６と、板厚方向を左右方向に向けた平板状をなす左右対称な一対の第２板部２７とから構成されている。一対の第２板部２７は、第１板部２６の左右両側縁から後方（後面壁１４側）へ片持ち状に突出した形態である。したがって、カバー２５は、その上端から下端に至る全領域に亘り後面（後面壁１４との対向面）を凹ませた形状をなしている。
【００２０】
カバー２５は、後面壁１４のうちオーバーフロー口２０の開口部の全体を含む領域に取り付けられている。カバー２５を後面壁１４に取り付けた状態では、第１板部２６が後面壁１４に対し間隔を空けて平行に対向するように位置する。同じく、カバー２５を後面壁１４に取り付けた状態では、一対の第２板部２７の後端縁が、後面壁１４の前面に対し当接するか、若しくは後面壁１４の前面に対して接近して対向する状態となる。これにより、後面壁１４とカバー２５との間には、上下両端が開放された遮蔽空間２８が構成されている。遮蔽空間２８は、ボウル１０内の溜水空間３０の一部をカバー２５で区画することによって構成された空間である。
【００２１】
カバー２５の下端部（下端面）は、ボウル１０の溜水空間３０内へ下向きに開口する連通口２９となっている。遮蔽空間２８の内部と外部は連通口２９を介して連通している。カバー２５（遮蔽空間２８）の上端はオーバーフロー口２０よりも上方に位置する。カバー２５（遮蔽空間２８）の下端（連通口２９）は、オーバーフロー口２０より下方であり、且つオーバーフロー口２０に近接した高さに位置する。カバー２５の下端は、底面１１に対して十分に高い位置に配されている。
【００２２】
後面壁１４に取り付けたカバー２５は、配管カバー２２の接続部２４の下端から下方へ延出するように配される。第１板部２６の前面は接続部２４の前面に対し滑らかに連なる。第２板部２７の外側面は接続部２４の外側面に対し面一状に連なる。したがって、配管カバー２２とカバー２５は、後面壁１４に取り付けた状態において、一見すると単一部品であるかのように見受けられる。
【００２３】
次に、本実施例１の作用及び効果を説明する。吐水口１８からボウル１０の溜水空間３０内に水を溜めていくと、ボウル１０の溜水空間３０内の水位が上昇する。水位が連通口２９まで上昇すると、それ以降は、溜水空間３０内の水が連通口２９を通って遮蔽空間２８内に入り込むので、溜水空間３０の水位と遮蔽空間２８の水位が同じ高さを保ったままで上昇していく。そして、溜水空間３０と遮蔽空間２８の水位がオーバーフロー口２０に達すると、遮蔽空間２８内の水は、オーバーフロー口２０からオーバーフロー管２１へ流出し、排水管１６を通って排出される。
【００２４】
本実施例１の水槽Ａは、底面１１の周縁から後面壁１４（ボウル１０の内面）が立ち上がった形態のボウル１０と、後面壁１４に形成されたオーバーフロー口２０と、ボウル１０内へ水を吐出する吐水配管１７とを有する。水槽Ａは、更に、カバー２５と連通口２９と配管カバー２２を有する。カバー２５は、オーバーフロー口２０の開口領域の全体を覆うように配されている。
【００２５】
カバー２５は、ボウル１０の溜水空間３０の一部を、オーバーフロー口２０が開口する遮蔽空間２８として区画する。連通口２９は、遮蔽空間２８の下端部において遮蔽空間２８の内部と外部とを連通させる。配管カバー２２は、カバー２５と一体的に繋がるように配された形態であり、吐水配管１７を包囲する。
【００２６】
吐水配管１７からボウル１０内に水が吐出されると、ボウル１０内の水が連通口２９から遮蔽空間２８内に流入し、遮蔽空間２８の水位がボウル１０内と同じ水位で上昇する。遮蔽空間２８の水位がオーバーフロー口２０に達すると、遮蔽空間２８内の水はオーバーフロー口２０からボウル１０の外部へ排出される。オーバーフロー口２０は、カバー２５で覆い隠されているので、目に入らないか、目に入り難い。したがって、オーバーフロー口２０の内周面が水垢等で汚れていても、意匠性が低下することはない。
【００２７】
また、カバー２５と配管カバー２２は、一見すると一体的に繋がったように配された形態であり、カバー２５との外面と配管カバー２２の外面が滑らかに、又は面一状に連なっている。したがって、カバー２５と配管カバー２２が一体部品であってもデザインが解離している場合や、カバー２５と配管カバー２２が別体であって離間した位置関係で配置される場合等に比べると、本実施例１の水槽Ａは、吐水配管１７とオーバーフロー口２０が設けられている後面壁１４に関して、意匠性に優れている。
【００２８】
また、カバー２５は、後面壁１４と対向する第１板部２６と、第１板部２６の鉛直方向の側縁から後面壁１４側へ延出した一対の第２板部２７とを備えて構成され、遮蔽空間２８が、後面壁１４と第１板部２６と一対の第２板部２７とによって構成されている。この構成によれば、カバー２５を筒状にする場合に比べると、材料コストを低減することができる。
【００２９】
＜実施例２＞
次に、本発明を具体化した実施例２を図４〜図６を参照して説明する。尚、以下の説明において、前後の方向については、図５における左方を前方と定義する。上下の方向については、図４〜６にあらわれる向きを、そのまま上方、下方と定義する。
【００３０】
本実施例２の水槽Ｂは、洗面化粧台Ｗを構成するものである。水槽Ｂは、上面が開放されたボウル４０と、カバー部材５６とを有している。ボウル４０は、平面視形状が方形をなす底面４１と、底面４１の前端縁（周縁）から鉛直方向上方へ立ち上がる前面壁４２と、底面４１の左右両側縁から鉛直方向上方へ立ち上がる左右一対の側面壁４３と、底面４１の後端縁から鉛直方向上方へ立ち上がる後面壁４４（請求項に記載のボウルの内面）とを有する。
【００３１】
前面壁４２の上端と左右両側面壁４３の上端は同じ高さであるが、後面壁４４は、前面壁４２の上端及び左右両側面壁４３の上端より高い位置まで立ち上がっている。後面壁４４には、平面視において後面壁４４の前面における左右方向中央部を凹ませた形態の凹部４５が形成されている。凹部４５は、後面壁４４の上端から下端に至る全領域に亘って縦長に形成されている。凹部４５は、前方へ開放され、ボウル４０の溜水空間４８に臨んでいる。底面４１のうち凹部４５に臨む領域には、排水口４６が形成されている。排水口４６には、排水管４７の上端部が接続されている。
【００３２】
後面壁４４の上端部には吐水配管４９が取り付けられている。吐水配管４９は、後面壁４４のうち凹部４５が形成されている部分を前後方向に貫通した形態であり、凹部４５の奥面５０から前方へ片持ち状に延出した形態である。吐水配管４９の前端部には、水槽Ｂ（ボウル４０）の上方からボウル４０内に水を吐出する吐水口５２が設けられている。吐水配管４９のうち後面壁４４（水槽Ｂ）の後方領域には、吐水口５２からの水の吐出動作を操作するための開閉弁５３が設けられている。
【００３３】
後面壁４４には、オーバーフロー口５４が形成されている。オーバーフロー口５４は、凹部４５の左側の内側面５１に配され、後面壁４４のうちボウル４０の上面より少し低い高さに開口している。オーバーフロー口５４には、後面壁４４の後方に配索されたオーバーフロー管５５の上端部が接続されている。オーバーフロー管５５の下端部は、排水管４７に接続されている。
【００３４】
カバー部材５６は、合成樹脂製の配管カバー５７と、同じく合成樹脂製のカバー６０とを組み付けて構成されている。配管カバー５７とカバー６０は別体の部品である。配管カバー５７とカバー６０は、後面壁４４の凹部４５の奥面５０に取り付けられている。配管カバー５７とカバー６０を後面壁４４に取り付けた状態では、配管カバー５７とカバー６０は、一体部品に見えるように上下に隣接して配置される。
【００３５】
配管カバー５７は、筒部５８と接続部５９とを有する単一部材である。筒部５８は、全体として偏平で且つ前後方向に細長く延びた形状をなす。筒部５８は、吐水配管４９のうち後面壁４４から前方へ突出した部分の全体を包囲している。吐水口５２は、筒部５８の前端部の下面に開口している。接続部５９は、筒部５８の後端部から下方へ延出した形態である。
【００３６】
後面壁４４に取り付けた配管カバー５７は、凹部４５の奥面５０から前方へ片持ち状に延出した形態となる。接続部５９の前面は、側面視形状が概ね四半円弧形をなし、筒部５８の下面に対し接線状に滑らかに接続している。筒部５８の左右両外側面と接続部５９の左右両外側面は面一状に連なっている。筒部５８の上面と接続部５９の後面は直角をなして連なっている。
【００３７】
カバー６０は、板厚方向を前後方向に向けた正面視方形の平板状をなす。カバー６０の幅寸法は、凹部４５の開口部６１の幅寸法の同じ寸法である。カバー６０は、凹部４５の開口部６１の一部を閉塞するように取り付けられている。カバー６０を後面壁４４に取り付けた状態では、カバー６０の下端縁が、底面４１に対し横長のスリット状の隙間６２を空けて上から対向するように位置する。凹部４５の奥面５０と左右両内側面５１とカバー６０とで区画された空間は、遮蔽空間６３となっている。遮蔽空間６３は、ボウル４０内の溜水空間４８の一部をカバー６０で区画することによって構成された空間である。
【００３８】
カバー６０の下端部（下端面）には、遮蔽空間６３と遮蔽空間６３の外部（ボウル４０の溜水空間４８）とを連通させる連通口６４が形成されている。カバー６０（遮蔽空間６３）の上端はオーバーフロー口５４よりも上方に位置する。カバー６０（遮蔽空間６３）の下端（連通口６４）は、オーバーフロー口５４より下方に位置する。
【００３９】
後面壁４４に取り付けたカバー６０は、配管カバー５７の接続部５９の下端から下方へ延出するように配される。カバー６０の前面は接続部５９の前面に対し滑らかに連なる。したがって、配管カバー５７とカバー６０は、後面壁４４に取り付けた状態において、一見すると単一部品であるかのように見受けられる。
【００４０】
次に、本実施例２の作用及び効果を説明する。吐水口５２からボウル４０の溜水空間４８内に水を溜めていくと、ボウル４０の溜水空間４８内の水位が上昇する。溜水空間４８と遮蔽空間６３は、両空間４８，６３の下端部においてスリット状の隙間６２を介して連通しているので、遮蔽空間６３の水位は、溜水空間４８と同じ高さを保ったままで上昇していく。そして、溜水空間４８と遮蔽空間６３の水位がオーバーフロー口５４に達すると、遮蔽空間６３内の水は、オーバーフロー口５４からオーバーフロー管５５へ流出し、排水管４７を通って排出される。
【００４１】
本実施例２の水槽Ｂは、底面４１の周縁から後面壁４４（ボウル４０の内面）が立ち上がった形態のボウル４０と、後面壁４４に形成されたオーバーフロー口５４と、ボウル４０内へ水を吐出する吐水配管４９とを有する。水槽Ｂは、更に、カバー６０と連通口６４と配管カバー５７を有する。カバー６０は、オーバーフロー口５４の開口領域の全体を覆うように配されている。
【００４２】
カバー６０は、ボウル４０の溜水空間４８の一部を、オーバーフロー口５４が開口する遮蔽空間６３として区画する。連通口６４は、遮蔽空間６３の下端部において遮蔽空間６３の内部と外部とを連通させる。配管カバー５７は、カバー６０と一体的に繋がるように配された形態であり、吐水配管４９を包囲する。
【００４３】
吐水配管４９からボウル４０内に水が吐出されると、ボウル４０内の水が連通口６４から遮蔽空間６３内に流入し、遮蔽空間６３の水位がボウル４０内と同じ水位で上昇する。遮蔽空間６３の水位がオーバーフロー口５４に達すると、遮蔽空間６３内の水はオーバーフロー口５４からボウル４０の外部へ排出される。オーバーフロー口５４は、カバー６０で覆い隠されているので、目に入らないか、目に入り難い。したがって、オーバーフロー口５４の内周面が水垢等で汚れていても、意匠性が低下することはない。
【００４４】
また、カバー６０と配管カバー５７は、一見すると一体的に繋がったように配された形態であり、カバー６０との外面と配管カバー５７の外面が滑らかに、又は面一状に連なっている。したがって、カバー６０と配管カバー５７が一体部品であってもデザインが解離している場合や、カバー６０と配管カバー５７が別体であって離間した位置関係で配置される場合等に比べると、本実施例１の水槽Ｂは、吐水配管４９とオーバーフロー口５４が設けられている後面壁４４に関して、意匠性に優れている。
【００４５】
また、後面壁４４のうちオーバーフロー口５４が開口する領域には、平面視において凹んだ形状の凹部４５が形成され、カバー６０は、平板状をなしていて凹部４５の開口部６１を閉塞している。このような一枚板状をなすカバー６０は、カバー６０を筒状にする場合に比べると、材料コストを低減することができる。
【００４６】
また、底面４１には、ボウル４０内の水を排水するための排水口４６が形成されているが、カバー６０の下端部は排水口４６を覆い隠す形態となっている。この構成によれば、排水口４６が水垢等で汚れていても、目に入らないか、目に入り難いので、意匠性が低下することはない。
【００４７】
＜他の実施例＞
本発明は上記記述及び図面によって説明した実施例に限定されるものではなく、例えば次のような実施例も本発明の技術的範囲に含まれる。
（１）上記実施例１，２では、カバーと配管カバーが別体の部品であるが、カバーと配管カバーを一体化させて単一部品としてもよい。
（２）上記実施例１，２では、水槽が洗面化粧台の洗面ボウルである場合について説明したが、本発明は、台所のシンクや浴槽等にも適用できる。
（３）上記実施例１，２では、カバーの下端部の全領域を底面より高い位置に配置したが、カバーの下端の一部を底面に当接させてもよい。カバーの下端を底面に当接させた場合、カバーの下端部の連通口は、カバーの側面や、ボウルの内面（後面壁）と対向する後面に開口させればよい。
（４）上記実施例１，２では、遮蔽空間がカバーと後面壁（ボウルの内面）とによって構成されているが、遮蔽空間をカバーだけで構成してもよい。遮蔽空間をカバーだけで構成する具体例としては、カバーを筒状としてて後面壁（ボウルの内面）に密着させ、カバーにオーバーフロー口と連通する切欠部を形成すればよい。
（５）上記実施例１，２では、カバーがオーバーフロー口の開口領域の全体を覆い隠すようになっているが、カバーはオーバーフロー口の開口領域の一部のみを覆い隠す形態であってもよい。
（６）上記実施例１，２では、オーバーフロー口がボウルの後面壁に形成されているが、オーバーフロー口は、ボウルの前面壁、左側面壁、右側面壁のいずれかに形成されていてもよい。
（７）上記実施例１，２では、配管カバーとカバーが合成樹脂製であるが、配管カバーとカバーは、金属製であってもよい。
（８）上記実施例１において、カバーの奥行き寸法を大きくするとともに、カバーの下端部を底面に当接する位置又は底面と接近して対向する位置まで低くしてもよい。このようにすれば、カバーの下端部によって排水口を覆い隠すことが可能である。
（９）上記実施例２では、カバーが平板状をなしているが、カバーは、平面視形状が曲面を含む曲面板状をなしていてもよい。
（１０）上記実施例２では、オーバーフロー口が、凹部の左内側面に形成されているが、オーバーフロー口は、凹部の右側面に形成されていてもよく、凹部の奥面に形成されていてもよい。
（１１）上記実施例２では、カバーによって排水口を覆い隠すようにしたが、カバーは排水口を覆い隠さない形態であってもよい。
（１２）上記実施例１，２では、ボウルの内面（オーバーフロー口が開口する面）が底面の周縁から鉛直方向に立ち上がった形態であるが、ボウルの内面は、底面から鉛直方向に対して斜めに立ち上がった形態でもよく、底面からボウルの上面の開口縁に向かって曲面状に滑らかに立ち上がった形態でもよい。
【符号の説明】
【００４８】
Ａ，Ｂ…水槽
１０，４０…ボウル
１１，４１…底面
１４，４４…後面壁（ボウルの内面）
１５…排水口
１７，４９…吐水配管
２０，５４…オーバーフロー口
２２，５７…配管カバー
２５，６０…カバー
２６…第１板部
２７…第２板部
２８，６３…遮蔽空間
２９，６４…連通口
３０，４８…溜水空間
４５…凹部
６１…凹部の開口部
【図１】
2019178503.tif 000003
【図２】
2019178503.tif 000004
【図３】
2019178503.tif 000005
【図４】
2019178503.tif 000006
【図５】
2019178503.tif 000007
【図６】
2019178503.tif 000008